(57)【要約】【課題】向かい合う方向に居る他者または左右方向に居る他者に対し画面を見せたい場合、使用者は携帯電話機を他者に手渡すか、携帯電話機自体の方向を変える必要があった。【解決手段】携帯電話機１０１の状態１において、操作部１０３の画面を１８０度回転させるための該当キー押下を検出し、指示キー押下により表示部１０２の情報表示データ１０６が回転し、携帯電話機１０７の状態２の様に表示部１０８のシステム表示データ１０４及びシステム表示データ１０５は回転しなく情報表示データ１０９のみが回転している状態となり、また、携帯電話機１０７の状態２において、携帯電話機１１０の状態３の様に表示部１１１にメニュー画面１１２はシステム表示データであるため回転しないようにして表示させ、向かい合う方向に居る他者または左右方向に居る他者に対し画面を見せる。【選択図】      図１
2006041696.tif 000002
【特許請求の範囲】
【請求項１】
画像データからなる画面を表示する表示部と、前記画像データを作成し、前記表示部に表示する前記画像データからなる画面を制御する制御部と、前記表示部に表示される画面を回転させるための指示キーを備えた操作部とを備え、前記制御部は前記画面を回転させるための前記操作部の前記指示キーの押下を検出し、前記指示キー押下により前記表示部に表示された画面を回転させることを特徴とする携帯電話機。
【請求項２】
前記制御部は前記操作部の前記指示キーの押下を検出する毎に、前記画面の回転または回転の戻しを前記指示キーの押下に従い交互に行うことを特徴とする請求項１記載の携帯電話機。
【請求項３】
前記制御部は前記操作部の前記指示キーの押下を検出する毎に、前記画面の回転を１８０度回転することを特徴とする請求項１または請求項２記載の携帯電話機。
【請求項４】
画像データからなる画面を表示する表示部と、前記画像データを作成し、前記表示部に表示する前記画像データからなる画面を制御する制御部と、前記表示部に表示される画面を回転させるための指示キーと画面を予め決められた表示状態に戻すための復帰指示キーを備えた操作部とを備え、前記制御部は前記画面を回転させるための前記操作部の前記指示キーの押下を検出した場合は、前記指示キー押下により前記表示部に表示された画面を回転させ、前記制御部は前記画面を予め決められた表示状態に戻すための前記復帰指示キーの押下を検出した場合は、前記復帰指示キー押下により前記表示部に表示されている画面を予め決められた表示状態に戻すことを特徴とする携帯電話機。
【請求項５】
前記予め決められた表示状態は、使用者が携帯電話機を手に持ち自分で正しい上下方向および左右方向の画像を表示部の画面で見ている初期状態の表示状態とすることを特徴とする請求項４記載の携帯電話機。
【請求項６】
前記予め決められた表示状態は、前記復帰指示キーの押下を検出した時点の表示画面の表示状態とすることを特徴とする請求項４記載の携帯電話機。
【請求項７】
前記制御部は前記操作部の前記指示キーの押下を検出する毎に、前記画面の回転を、前記指示キーの押下を検出した時点の表示画面から９０度回転し、前記指示キーの押下を検出したことによる時点の表示画面から９０度回転した画面が、使用者が携帯電話機を手に持ち自分で正しい上下方向および左右方向の画像を表示部の画面で見ている初期状態の表示状態になる場合は前記指示キーの押下を検出した時点の表示画面から１８０度回転することを特徴とする請求項４記載の携帯電話機。
【請求項８】
前記制御部は前記操作部の前記指示キーの押下を検出する毎に、前記画面の回転を、前記指示キーの押下を検出した時点の表示画面から９０度回転することを特徴とする請求項１または請求項４記載の携帯電話機。
【請求項９】
前記操作部に備えた画面を回転させるための前記指示キーを、前記画面の９０度、１８０度、２７０度、および３６０度のそれぞれの回転に対応する指示キーを設け、操作部に備えたことを特徴とする請求項１または請求項４記載の携帯電話機。
【請求項１０】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーを備えた操作部とを備え、前記制御部は前記情報表示データに係わる画面を回転させるための前記操作部の前記指示キーの押下を検出し、前記指示キー押下により前記表示部に表示された前記情報表示データに係わる画面を回転させることを特徴とする携帯電話機。
【請求項１１】
前記制御部は前記操作部の前記指示キーの押下を検出する毎に、前記情報表示データに係わる画面の回転または回転の戻しを前記指示キーの押下に従い交互に行うことを特徴とする請求項１０記載の携帯電話機。
【請求項１２】
前記制御部は前記操作部の前記指示キーの押下を検出する毎に、前記情報表示データに係わる画面の回転を１８０度回転することを特徴とする請求項１０または請求項１１記載の携帯電話機。
【請求項１３】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーと前記情報表示データに係わる画面を予め決められた情報表示データに係わる表示状態に戻すための復帰指示キーを備えた操作部とを備え、前記制御部は前記情報表示データに係わる画面を回転させるための前記操作部の前記指示キーの押下を検出した場合は、前記指示キー押下により前記表示部に表示された前記情報表示データに係わる画面を回転させ、前記制御部は前記情報表示データに係わる画面を予め決められた前記情報表示データに係わる表示状態に戻すための前記復帰指示キーの押下を検出した場合は、前記復帰指示キー押下により前記表示部に表示されている前記情報表示データに係わる画面を予め決められた前記情報表示データに係わる表示状態に戻すことを特徴とする携帯電話機。
【請求項１４】
前記予め決められた情報表示データに係わる表示状態は、使用者が携帯電話機を手に持ち自分で正しい上下方向および左右方向の画像を表示部の画面で見ている前記情報表示データに係わる初期状態の前記情報表示データに係わる表示状態とすることを特徴とする請求項１３記載の携帯電話機。
【請求項１５】
前記予め決められた前記情報表示データに係わる表示状態は、前記復帰指示キーの押下を検出した時点の前記情報表示データに係わる表示画面の前記情報表示データに係わる表示状態とすることを特徴とする請求項１３記載の携帯電話機。
【請求項１６】
前記制御部は前記操作部の前記指示キーの押下を検出する毎に、前記情報表示データに係わる画面の回転を、前記指示キーの押下を検出した時点の前記情報表示データに係わる表示画面から９０度回転し、前記指示キーの押下を検出したことによる時点の前記情報表示データに係わる表示画面から９０度回転した画面が、使用者が携帯電話機を手に持ち自分で正しい上下方向および左右方向の画像を表示部の画面で見ている前記情報表示データに係わる初期状態の前記情報表示データに係わる表示状態になる場合は前記指示キーの押下を検出した時点の前記情報表示データに係わる表示画面から１８０度回転することを特徴とする請求項１３記載の携帯電話機。
【請求項１７】
前記制御部は前記操作部の前記指示キーの押下を検出する毎に、前記情報表示データに係わる画面の回転を、前記指示キーの押下を検出した時点の前記情報表示データに係わる表示画面から９０度回転することを特徴とする請求項１０または請求項１３記載の携帯電話機。
【請求項１８】
前記操作部に備えた前記情報表示データに係わる画面を回転させるための前記指示キーを、前記画面の９０度、１８０度、２７０度、および３６０度のそれぞれの回転に対応する指示キーを設け、操作部に備えたことを特徴とする請求項１０または請求項１３記載の携帯電話機。
【請求項１９】
画像データからなる画面を表示する表示部と、前記画像データを作成し、前記表示部に表示する前記画像データからなる画面を制御し、前記表示部に表示される画面を回転させるための指示を傾きセンサにより検出する制御部とを備え、前記制御部は前記画面を回転させるための指示を前記傾きセンサにより傾きを検出し、傾きを検出したことにより前記表示部に表示された画面を回転させることを特徴とする携帯電話機。
【請求項２０】
前記制御部は画面を回転させるための指示を傾きセンサにより傾きを検出したことにより前記画面の回転を行い、傾きセンサにより傾きが無くなったことを検出したことにより前記画面の回転の戻しを行うことを特徴とする請求項１９記載の携帯電話機。
【請求項２１】
画像データからなる画面を表示する表示部と、前記画像データを作成し、前記表示部に表示する前記画像データからなる画面を制御し、前記表示部に表示される画面を回転させるための指示を傾きセンサにより検出する制御部とを備え、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている初期状態の表示状態の画面を表示し、前記傾きセンサが前記前方の傾斜を検出した場合は前記初期状態の表示状態の画面に対し１８０度前記初期状態の表示状態の画面から回転した画面を表示し、前記傾きセンサが前記左の傾斜を検出した場合は前記初期状態の表示状態の画面に対し右に９０度前記初期状態の表示状態の画面から回転した画面を表示し、前記傾きセンサが前記右の傾斜を検出した場合は前記初期状態の表示状態の画面に対し左に９０度前記初期状態の表示状態の画面から回転した画面を表示することを特徴とする携帯電話機。
【請求項２２】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備え、前記制御部は前記前記情報表示データに係わる画面を回転させるための指示を前記傾きセンサにより傾きを検出し、傾きを検出したことにより前記表示部に表示された前記情報表示データに係わる画面を回転させることを特徴とする携帯電話機。
【請求項２３】
前記制御部は前記情報表示データに係わる画面を回転させるための指示を傾きセンサにより傾きを検出したことにより前記画面の回転を行い、傾きセンサにより傾きが無くなったことを検出したことにより前記情報表示データに係わる画面の回転の戻しを行うことを特徴とする請求項２２記載の携帯電話機。
【請求項２４】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備え、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている前記情報表示データに係わる初期状態の前記情報表示データに係わる表示状態の画面を表示し、前記傾きセンサが前記前方の傾斜を検出した場合は前記情報表示データに係わる初期状態の前記情報表示データに係わる表示状態の画面に対し１８０度前記情報表示データに係わる初期状態の前記情報表示データに係わる表示状態の画面から回転した画面を表示し、前記傾きセンサが前記左の傾斜を検出した場合は前記情報表示データに係わる初期状態の前記情報表示データに係わる表示状態の画面に対し右に９０度前記情報表示データに係わる初期状態の前記情報表示データに係わる表示状態の画面から回転した画面を表示し、前記傾きセンサが前記右の傾斜を検出した場合は前記情報表示データに係わる初期状態の前記情報表示データに係わる表示状態の画面に対し左に９０度前記情報表示データに係わる初期状態の前記情報表示データに係わる表示状態の画面から回転した画面を表示することを特徴とする携帯電話機。
【請求項２５】
前記回転する画面をシステム表示データと情報表示データの画像データを合成した合成表示データの画像データの画面としたことを特徴とする請求項１０から請求項１８、請求項２２から請求項２４記載のいずれかの携帯電話機。
【請求項２６】
画像データからなる画面を表示する表示部と、前記画像データを作成し、前記表示部に表示する前記画像データからなる画面を制御する制御部と、前記表示部に表示される画面を回転させるための指示キーを備えた操作部とを備えた携帯電話機における表示方法であって、前記制御部は前記画面を回転させるための前記操作部の前記指示キーの押下を検出し、前記指示キー押下により前記表示部に表示された画面を回転させることを特徴とする携帯電話機における表示方法。
【請求項２７】
前記制御部は前記操作部の前記指示キーの押下を検出する毎に、前記画面の回転または回転の戻しを前記指示キーの押下に従い交互に行うことを特徴とする請求項２６記載の携帯電話機における表示方法。
【請求項２８】
前記制御部は前記操作部の前記指示キーの押下を検出する毎に、前記画面の回転を１８０度回転することを特徴とする請求項２６または請求項２７記載の携帯電話機における表示方法。
【請求項２９】
画像データからなる画面を表示する表示部と、前記画像データを作成し、前記表示部に表示する前記画像データからなる画面を制御する制御部と、前記表示部に表示される画面を回転させるための指示キーと画面を予め決められた表示状態に戻すための復帰指示キーを備えた操作部とを備えた携帯電話機における表示方法であって、前記制御部は前記画面を回転させるための前記操作部の前記指示キーの押下を検出した場合は、前記指示キー押下により前記表示部に表示された画面を回転させ、前記制御部は前記画面を予め決められた表示状態に戻すための前記復帰指示キーの押下を検出した場合は、前記復帰指示キー押下により前記表示部に表示されている画面を予め決められた表示状態に戻すことを特徴とする携帯電話機における表示方法。
【請求項３０】
前記予め決められた表示状態は、使用者が携帯電話機を手に持ち自分で正しい上下方向および左右方向の画像を表示部の画面で見ている初期状態の表示状態とすることを特徴とする請求項２９記載の携帯電話機における表示方法。
【請求項３１】
前記予め決められた表示状態は、前記復帰指示キーの押下を検出した時点の表示画面の表示状態とすることを特徴とする請求項２９記載の携帯電話機における表示方法。
【請求項３２】
前記制御部は前記操作部の前記指示キーの押下を検出する毎に、前記画面の回転を、前記指示キーの押下を検出した時点の表示画面から９０度回転し、前記指示キーの押下を検出したことによる時点の表示画面から９０度回転した画面が、使用者が携帯電話機を手に持ち自分で正しい上下方向および左右方向の画像を表示部の画面で見ている初期状態の表示状態になる場合は前記指示キーの押下を検出した時点の表示画面から１８０度回転することを特徴とする請求項２９記載の携帯電話機における表示方法。
【請求項３３】
前記制御部は前記操作部の前記指示キーの押下を検出する毎に、前記画面の回転を、前記指示キーの押下を検出した時点の表示画面から９０度回転することを特徴とする請求項１または請求項２９記載の携帯電話機における表示方法。
【請求項３４】
前記操作部に備えた画面を回転させるための前記指示キーを、前記画面の９０度、１８０度、２７０度、および３６０度のそれぞれの回転に対応する指示キーを設け、操作部に備えたことを特徴とする請求項２６または請求項２９記載の携帯電話機における表示方法。
【請求項３５】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーを備えた操作部とを備えた携帯電話機における表示方法であって、前記制御部は前記情報表示データに係わる画面を回転させるための前記操作部の前記指示キーの押下を検出し、前記指示キー押下により前記表示部に表示された前記情報表示データに係わる画面を回転させることを特徴とする携帯電話機における表示方法。
【請求項３６】
前記制御部は前記操作部の前記指示キーの押下を検出する毎に、前記情報表示データに係わる画面の回転または回転の戻しを前記指示キーの押下に従い交互に行うことを特徴とする請求項３５記載の携帯電話機における表示方法。
【請求項３７】
前記制御部は前記操作部の前記指示キーの押下を検出する毎に、前記情報表示データに係わる画面の回転を１８０度回転することを特徴とする請求項３５または請求項３６記載の携帯電話機における表示方法。
【請求項３８】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーと前記情報表示データに係わる画面を予め決められた情報表示データに係わる表示状態に戻すための復帰指示キーを備えた操作部とを備えた携帯電話機における表示方法であって、前記制御部は前記情報表示データに係わる画面を回転させるための前記操作部の前記指示キーの押下を検出した場合は、前記指示キー押下により前記表示部に表示された前記情報表示データに係わる画面を回転させ、前記制御部は前記情報表示データに係わる画面を予め決められた前記情報表示データに係わる表示状態に戻すための前記復帰指示キーの押下を検出した場合は、前記復帰指示キー押下により前記表示部に表示されている前記情報表示データに係わる画面を予め決められた前記情報表示データに係わる表示状態に戻すことを特徴とする携帯電話機における表示方法。
【請求項３９】
前記予め決められた情報表示データに係わる表示状態は、使用者が携帯電話機を手に持ち自分で正しい上下方向および左右方向の画像を表示部の画面で見ている前記情報表示データに係わる初期状態の前記情報表示データに係わる表示状態とすることを特徴とする請求項３８記載の携帯電話機における表示方法。
【請求項４０】
前記予め決められた前記情報表示データに係わる表示状態は、前記復帰指示キーの押下を検出した時点の前記情報表示データに係わる表示画面の前記情報表示データに係わる表示状態とすることを特徴とする請求項３８記載の携帯電話機における表示方法。
【請求項４１】
前記制御部は前記操作部の前記指示キーの押下を検出する毎に、前記情報表示データに係わる画面の回転を、前記指示キーの押下を検出した時点の前記情報表示データに係わる表示画面から９０度回転し、前記指示キーの押下を検出したことによる時点の前記情報表示データに係わる表示画面から９０度回転した画面が、使用者が携帯電話機を手に持ち自分で正しい上下方向および左右方向の画像を表示部の画面で見ている前記情報表示データに係わる初期状態の前記情報表示データに係わる表示状態になる場合は前記指示キーの押下を検出した時点の前記情報表示データに係わる表示画面から１８０度回転することを特徴とする請求項３８記載の携帯電話機における表示方法。
【請求項４２】
前記制御部は前記操作部の前記指示キーの押下を検出する毎に、前記情報表示データに係わる画面の回転を、前記指示キーの押下を検出した時点の前記情報表示データに係わる表示画面から９０度回転することを特徴とする請求項３５または請求項３８記載の携帯電話機における表示方法。
【請求項４３】
前記操作部に備えた前記情報表示データに係わる画面を回転させるための前記指示キーを、前記画面の９０度、１８０度、２７０度、および３６０度のそれぞれの回転に対応する指示キーを設け、操作部に備えたことを特徴とする請求項３５または請求項３８記載の携帯電話機における表示方法。
【請求項４４】
画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示方法であって、前記制御部は前記画面を回転させるための指示を前記傾きセンサにより傾きを検出し、傾きを検出したことにより前記表示部に表示された画面を回転させることを特徴とする携帯電話機における表示方法。
【請求項４５】
前記制御部は画面を回転させるための指示を傾きセンサにより傾きを検出したことにより前記画面の回転を行い、傾きセンサにより傾きが無くなったことを検出したことにより前記画面の回転の戻しを行うことを特徴とする請求項４４記載の携帯電話機における表示方法。
【請求項４６】
画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示方法であって、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている初期状態の表示状態の画面を表示し、前記傾きセンサが前記前方の傾斜を検出した場合は前記初期状態の表示状態の画面に対し１８０度前記初期状態の表示状態の画面から回転した画面を表示し、前記傾きセンサが前記左の傾斜を検出した場合は前記初期状態の表示状態の画面に対し右に９０度前記初期状態の表示状態の画面から回転した画面を表示し、前記傾きセンサが前記右の傾斜を検出した場合は前記初期状態の表示状態の画面に対し左に９０度前記初期状態の表示状態の画面から回転した画面を表示することを特徴とする携帯電話機における表示方法。
【請求項４７】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示方法であって、前記制御部は前記前記情報表示データに係わる画面を回転させるための指示を前記傾きセンサにより傾きを検出し、傾きを検出したことにより前記表示部に表示された前記情報表示データに係わる画面を回転させることを特徴とする携帯電話機における表示方法。
【請求項４８】
前記制御部は前記情報表示データに係わる画面を回転させるための指示を傾きセンサにより傾きを検出したことにより前記画面の回転を行い、傾きセンサにより傾きが無くなったことを検出したことにより前記情報表示データに係わる画面の回転の戻しを行うことを特徴とする請求項４７記載の携帯電話機における表示方法。
【請求項４９】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示方法であって、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている前記情報表示データに係わる初期状態の前記情報表示データに係わる表示状態の画面を表示し、前記傾きセンサが前記前方の傾斜を検出した場合は前記情報表示データに係わる初期状態の前記情報表示データに係わる表示状態の画面に対し１８０度前記情報表示データに係わる初期状態の前記情報表示データに係わる表示状態の画面から回転した画面を表示し、前記傾きセンサが前記左の傾斜を検出した場合は前記情報表示データに係わる初期状態の前記情報表示データに係わる表示状態の画面に対し右に９０度前記情報表示データに係わる初期状態の前記情報表示データに係わる表示状態の画面から回転した画面を表示し、前記傾きセンサが前記右の傾斜を検出した場合は前記情報表示データに係わる初期状態の前記情報表示データに係わる表示状態の画面に対し左に９０度前記情報表示データに係わる初期状態の前記情報表示データに係わる表示状態の画面から回転した画面を表示することを特徴とする携帯電話機における表示方法。
【請求項５０】
前記回転する画面をシステム表示データと情報表示データの画像データを合成した合成表示データの画像データの画面としたことを特徴とする請求項３５から請求項３８、請求項４７から請求項４９記載のいずれかの携帯電話機における表示方法。
【請求項５１】
画像データからなる画面を表示する表示部と、前記画像データを作成し、前記表示部に表示する前記画像データからなる画面を制御する制御部と、前記表示部に表示される画面を回転させるための指示キーを備えた操作部とを備えた携帯電話機における表示処理において、前記制御部は前記画面を回転させるための前記操作部の前記指示キーの押下を検出し、前記指示キー押下により前記表示部に表示された画面を回転させる処理をコンピュータに実行させるためのプログラム。
【請求項５２】
画像データからなる画面を表示する表示部と、前記画像データを作成し、前記表示部に表示する前記画像データからなる画面を制御する制御部と、前記表示部に表示される画面を回転させるための指示キーと画面を予め決められた表示状態に戻すための復帰指示キーを備えた操作部とを備えた携帯電話機における表示処理において、前記制御部は前記画面を回転させるための前記操作部の前記指示キーの押下を検出した場合は、前記指示キー押下により前記表示部に表示された画面を回転させ、前記制御部は前記画面を予め決められた表示状態に戻すための前記復帰指示キーの押下を検出した場合は、前記復帰指示キー押下により前記表示部に表示されている画面を予め決められた表示状態に戻す処理をコンピュータに実行させるためのプログラム。
【請求項５３】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーを備えた操作部とを備えた携帯電話機における表示処理において、前記制御部は前記情報表示データに係わる画面を回転させるための前記操作部の前記指示キーの押下を検出し、前記指示キー押下により前記表示部に表示された前記情報表示データに係わる画面を回転させる処理をコンピュータに実行させるためのプログラム。
【請求項５４】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーと前記情報表示データに係わる画面を予め決められた情報表示データに係わる表示状態に戻すための復帰指示キーを備えた操作部とを備えた携帯電話機における表示処理において、前記制御部は前記情報表示データに係わる画面を回転させるための前記操作部の前記指示キーの押下を検出した場合は、前記指示キー押下により前記表示部に表示された前記情報表示データに係わる画面を回転させ、前記制御部は前記情報表示データに係わる画面を予め決められた前記情報表示データに係わる表示状態に戻すための前記復帰指示キーの押下を検出した場合は、前記復帰指示キー押下により前記表示部に表示されている前記情報表示データに係わる画面を予め決められた前記情報表示データに係わる表示状態に戻す処理をコンピュータに実行させるためのプログラム。
【請求項５５】
画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示処理において、前記制御部は前記画面を回転させるための指示を前記傾きセンサにより傾きを検出し、傾きを検出したことにより前記表示部に表示された画面を回転させる処理をコンピュータに実行させるためのプログラム。
【請求項５６】
画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示処理において、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている初期状態の表示状態の画面を表示し、前記傾きセンサが前記前方の傾斜を検出した場合は前記初期状態の表示状態の画面に対し１８０度前記初期状態の表示状態の画面から回転した画面を表示し、前記傾きセンサが前記左の傾斜を検出した場合は前記初期状態の表示状態の画面に対し右に９０度前記初期状態の表示状態の画面から回転した画面を表示し、前記傾きセンサが前記右の傾斜を検出した場合は前記初期状態の表示状態の画面に対し左に９０度前記初期状態の表示状態の画面から回転した画面を表示する処理をコンピュータに実行させるためのプログラム。
【請求項５７】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示処理において、前記制御部は前記前記情報表示データに係わる画面を回転させるための指示を前記傾きセンサにより傾きを検出し、傾きを検出したことにより前記表示部に表示された前記情報表示データに係わる画面を回転させる処理をコンピュータに実行させるためのプログラム。
【請求項５８】
システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示処理において、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている前記情報表示データに係わる初期状態の前記情報表示データに係わる表示状態の画面を表示し、前記傾きセンサが前記前方の傾斜を検出した場合は前記情報表示データに係わる初期状態の前記情報表示データに係わる表示状態の画面に対し１８０度前記情報表示データに係わる初期状態の前記情報表示データに係わる表示状態の画面から回転した画面を表示し、前記傾きセンサが前記左の傾斜を検出した場合は前記情報表示データに係わる初期状態の前記情報表示データに係わる表示状態の画面に対し右に９０度前記情報表示データに係わる初期状態の前記情報表示データに係わる表示状態の画面から回転した画面を表示し、前記傾きセンサが前記右の傾斜を検出した場合は前記情報表示データに係わる初期状態の前記情報表示データに係わる表示状態の画面に対し左に９０度前記情報表示データに係わる初期状態の前記情報表示データに係わる表示状態の画面から回転した画面を表示する処理をコンピュータに実行させるためのプログラム。
【発明の詳細な説明】
【技術分野】
【０００１】
本発明は携帯電話機と携帯電話機における表示方法およびプログラムに関し、特に携帯電話の画像表示機能において、向かい合う方向に居る他者または左右方向に居る他者に対して、画面表示を正しい上下方向および左右方向に回転させる携帯電話機と携帯電話機における表示方法およびプログラムに関する。
【背景技術】
【０００２】
従来、使用者が情報表示データの画像を向かい合う方向に居る他者または左右に居る他者に対し見せる場合、使用者が携帯電話機を手で持っている状態では、他者に対して上下方向および左右方向が正しい画像を見ることは出来いという課題があった。
【０００３】
また、携帯電話機を他者に手渡すことは使用者にとって作業の増加であり、使用者の個人情報が他者に漏洩する可能性があるという問題点があった。
【０００４】
従来の技術として、使用者が情報表示データの画像を向かい合う方向に居る他者または左右に居る他者に対し見せるものとして、以下のようなものがある。
【０００５】
従来の技術として、登録実用新案第３０２４８３３号公報がある（特許文献１参照。）。
【０００６】
これは、ノート型パソコンを用いて説明相手にプレゼンテーションを行う場合、表示部を１８０度以上開きスイッチ操作を行うことで上下、左右反転表示を行う。そのため説明相手に表示部の画面内容を提示しながら説明者も画面を確認しながら操作が可能となるものである。このように、表示部は１８０度以上の開閉角を持ち、スイッチ操作により画面の上下、左右反転表示を行うことにより、簡単な操作で相手方の見易い画面を表示部に表示でき、操作者も表示部の画面を見られるので操作しやすいノート型パソコン用プレゼンテーション装置が提供される。
【０００７】
また、従来技術として、特開２００４−０１５７７０号公報がある（特許文献２参照。）。
【０００８】
これは、携帯端末で相手を撮影するときに相手側から見える第１の画面に鏡に写ったように画像を表示あるいは撮影状態を表すステータスを表示すると共に、撮影者から見える第２の画面に画像を表示し、撮影時に被撮影者が撮影される画像や撮影状態の確認を可能にすることを目的とするものである。
【０００９】
携帯端末は、カメラを構成するレンズを設けた側と同じ側に第１の画面であるサブＬＣＤおよびカメラを構成するレンズを設けた側と反対側に設けた第２の画面であるメインＬＣＤを配置し、制御部が被撮影対象にレンズを向けて撮影した画像をメインＬＣＤに表示、およびサブＬＣＤに当該撮影した画像あるいは撮影状態を表すステータスを表示するようにしている。
【００１０】
この際、メインＬＣＤに被撮影対象を見るスルー画像を表示し、サブＬＣＤに画像を表示するときは被撮影対象から見て鏡に映った左右反転画像を表示するようにしている。
【００１１】
また、シャッタキーあるいはシャッタが押下されたときに、メインＬＣＤに撮影された静止した画像を表示すると共にサブＬＣＤに画像を表示するときは静止した画像を表示あるいはステータスを表示するときは撮影完了状態のステータスを表示するようにしている。
【００１２】
また、サブＬＣＤに画像を表示する場合には、画像を縮小あるいは切り出して表示するようにしている。
【００１３】
また、サブＬＣＤに画像あるいはテータスを切り替えて表示させる切替手段を設けるようにしている。
【００１４】
従って、携帯端末で相手を撮影するときに相手側から見える第１の画面であるサブＬＣＤに鏡に写ったように画像を表示あるいは撮影状態を表すステータスを表示すると共に、撮影者から見える第２の画面であるメインＬＣＤに画像を表示することにより、撮影時に被撮影者が撮影される画像や撮影状態を確認することが可能となる。
【００１５】
また、従来技術として、特開２００４−０８８５５２号公報がある（特許文献３参照。）。
【００１６】
これは、第一表示部及び第二表示部を有する携帯電話端末において、第一表示部はユーザが自分固有の画面を見られるようにし、第二表示部はユーザの周りにいる人に見せたくない情報の画面を選択して見せるようにしたものである。携帯電話端末の向きを変えずに、ユーザと反対側にいる相手にも画面を見せることができる。
【００１７】
【特許文献１】登録実用新案第３０２４８３３号公報（段落［０００５］〜［０００９］）
【特許文献２】特開２００４−０１５７７０号公報（段落［０００７］，および［００１４］〜［００１９］）
【特許文献３】特開２００４−０８８５５２号公報（段落［０００６］，および［０００８］）
【発明の開示】
【発明が解決しようとする課題】
【００１８】
第１の問題点は、向かい合う方向に居る他者または左右方向に居る他者に対し、画面を見せたい場合、使用者は携帯電話機を他者に手渡すか、携帯電話機自体の方向を変える必要があった。
【００１９】
その理由は、利用者が携帯電話機を手に持って自分が見ている画面と他者が見る画面では画面の上下方向および左右方向が正しい状態で見られないからである。
【００２０】
第２の問題点は、使用者が向かい合う方向に居る他者または左右に居る他者に対し、情報表示データの画像を見せる行為を簡略化できないことである。
【００２１】
その理由は、他者に対し、情報表示データの画像を正しく見せるため携帯電話機を他者に手渡す必要があるため使用者にとって作業が増加するからである。
【００２２】
第３の問題点は、使用者の個人情報が他者に漏洩する可能性があるということである。
【００２３】
その理由は、携帯電話機を他者に手渡すからである。
【００２４】
第４の問題点は、他者に対し、画面を見ながら説明がし難い。
【００２５】
その理由は、他者に対し、画面を見易くするため携帯電話機を他者に手渡すか、携帯電話機自体の方向を変える必要があるため利用者自身が画面を見にくくなるためであるからである。
【００２６】
第５の問題点は、特許文献１のものは手軽に手に持ちながら他者に説明できない。
【００２７】
その理由は、ノート型パソコンを使用するためパソコンを置く台か必要になる。
【００２８】
第６の問題点は、特許文献２のものは利用者が見る画面の他に他者が見る画面が必要にな。
【００２９】
その理由は、撮影時に被撮影者が撮影される画像や撮影状態を確認することが可能となる画面があるからである。
【００３０】
第７の問題点は、特許文献３のものは２つの画面が必要になることである。
【００３１】
その理由は、第二表示部で端末の向きを変えずにユーザと反対側にいる相手にも画面を見せ、また、第一表示部で表示させたいデータの選択中画面を見られずに、選択したデータのみを相手側に見せる第一表示部及び第二表示部を有する携帯電話端末であるからである。
（発明の目的）
そこで、本発明の目的は、向かい合う方向に居る他者または左右方向に居る他者に対し、情報表示データの画像の正しい上下方向および左右方向で見せたい携帯電話機と携帯電話機における表示方法およびプログラムを提供することにある。
【課題を解決するための手段】
【００３２】
第１の発明の携帯電話機は、画像データからなる画面を表示する表示部と、前記画像データを作成し、前記表示部に表示する前記画像データからなる画面を制御する制御部と、前記表示部に表示される画面を回転させるための指示キーを備えた操作部とを備え、前記制御部は前記画面を回転させるための前記操作部の前記指示キーの押下を検出し、前記指示キー押下により前記表示部に表示された画面を回転させることを特徴とする。
【００３３】
また、第２の発明の携帯電話機は、前記制御部は前記操作部の前記指示キーの押下を検出する毎に、前記画面の回転または回転の戻しを前記指示キーの押下に従い交互に行うことを特徴とする。
【００３４】
また、第３の発明の携帯電話機は、前記制御部は前記操作部の前記指示キーの押下を検出する毎に、前記画面の回転を１８０度回転することを特徴とする。
【００３５】
また、第４の発明の携帯電話機は、画像データからなる画面を表示する表示部と、前記画像データを作成し、前記表示部に表示する前記画像データからなる画面を制御する制御部と、前記表示部に表示される画面を回転させるための指示キーと画面を予め決められた表示状態に戻すための復帰指示キーを備えた操作部とを備え、前記制御部は前記画面を回転させるための前記操作部の前記指示キーの押下を検出した場合は、前記指示キー押下により前記表示部に表示された画面を回転させ、前記制御部は前記画面を予め決められた表示状態に戻すための前記復帰指示キーの押下を検出した場合は、前記復帰指示キー押下により前記表示部に表示されている画面を予め決められた表示状態に戻すことを特徴とする。
【００３６】
また、第５の発明の携帯電話機は、前記予め決められた表示状態は、使用者が携帯電話機を手に持ち自分で正しい上下方向および左右方向の画像を表示部の画面で見ている初期状態の表示状態とすることを特徴とする。
【００３７】
また、第６の発明の携帯電話機は、前記予め決められた表示状態は、前記復帰指示キーの押下を検出した時点の表示画面の表示状態とすることを特徴とする。
【００３８】
また、第７の発明の携帯電話機は、前記制御部は前記操作部の前記指示キーの押下を検出する毎に、前記画面の回転を、前記指示キーの押下を検出した時点の表示画面から９０度回転し、前記指示キーの押下を検出したことによる時点の表示画面から９０度回転した画面が、使用者が携帯電話機を手に持ち自分で正しい上下方向および左右方向の画像を表示部の画面で見ている初期状態の表示状態になる場合は前記指示キーの押下を検出した時点の表示画面から１８０度回転することを特徴とする。
【００３９】
また、第８の発明の携帯電話機は、前記制御部は前記操作部の前記指示キーの押下を検出する毎に、前記画面の回転を、前記指示キーの押下を検出した時点の表示画面から９０度回転することを特徴とする。
【００４０】
また、第９の発明の携帯電話機は、前記操作部に備えた画面を回転させるための前記指示キーを、前記画面の９０度、１８０度、２７０度、および３６０度のそれぞれの回転に対応する指示キーを設け、操作部に備えたことを特徴とする。
【００４１】
また、第１０の発明の携帯電話機は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーを備えた操作部とを備え、前記制御部は前記情報表示データに係わる画面を回転させるための前記操作部の前記指示キーの押下を検出し、前記指示キー押下により前記表示部に表示された前記情報表示データに係わる画面を回転させることを特徴とする。
【００４２】
また、第１１の発明の携帯電話機は、前記制御部は前記操作部の前記指示キーの押下を検出する毎に、前記情報表示データに係わる画面の回転または回転の戻しを前記指示キーの押下に従い交互に行うことを特徴とする。
【００４３】
また、第１２の発明の携帯電話機は、前記制御部は前記操作部の前記指示キーの押下を検出する毎に、前記情報表示データに係わる画面の回転を１８０度回転することを特徴とする。
【００４４】
また、第１３の発明の携帯電話機は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーと前記情報表示データに係わる画面を予め決められた情報表示データに係わる表示状態に戻すための復帰指示キーを備えた操作部とを備え、前記制御部は前記情報表示データに係わる画面を回転させるための前記操作部の前記指示キーの押下を検出した場合は、前記指示キー押下により前記表示部に表示された前記情報表示データに係わる画面を回転させ、前記制御部は前記情報表示データに係わる画面を予め決められた前記情報表示データに係わる表示状態に戻すための前記復帰指示キーの押下を検出した場合は、前記復帰指示キー押下により前記表示部に表示されている前記情報表示データに係わる画面を予め決められた前記情報表示データに係わる表示状態に戻すことを特徴とする。
【００４５】
また、第１４の発明の携帯電話機は、前記予め決められた情報表示データに係わる表示状態は、使用者が携帯電話機を手に持ち自分で正しい上下方向および左右方向の画像を表示部の画面で見ている前記情報表示データに係わる初期状態の前記情報表示データに係わる表示状態とすることを特徴とする。
【００４６】
また、第１５の発明の携帯電話機は、前記予め決められた前記情報表示データに係わる表示状態は、前記復帰指示キーの押下を検出した時点の前記情報表示データに係わる表示画面の前記情報表示データに係わる表示状態とすることを特徴とする。
【００４７】
また、第１６の発明の携帯電話機は、前記制御部は前記操作部の前記指示キーの押下を検出する毎に、前記情報表示データに係わる画面の回転を、前記指示キーの押下を検出した時点の前記情報表示データに係わる表示画面から９０度回転し、前記指示キーの押下を検出したことによる時点の前記情報表示データに係わる表示画面から９０度回転した画面が、使用者が携帯電話機を手に持ち自分で正しい上下方向および左右方向の画像を表示部の画面で見ている前記情報表示データに係わる初期状態の前記情報表示データに係わる表示状態になる場合は前記指示キーの押下を検出した時点の前記情報表示データに係わる表示画面から１８０度回転することを特徴とする。
【００４８】
また、第１７の発明の携帯電話機は、前記制御部は前記操作部の前記指示キーの押下を検出する毎に、前記情報表示データに係わる画面の回転を、前記指示キーの押下を検出した時点の前記情報表示データに係わる表示画面から９０度回転することを特徴とする。
【００４９】
また、第１８の発明の携帯電話機は、前記操作部に備えた前記情報表示データに係わる画面を回転させるための前記指示キーを、前記画面の９０度、１８０度、２７０度、および３６０度のそれぞれの回転に対応する指示キーを設け、操作部に備えたことを特徴とする。
【００５０】
また、第１９の発明の携帯電話機は、画像データからなる画面を表示する表示部と、前記画像データを作成し、前記表示部に表示する前記画像データからなる画面を制御し、前記表示部に表示される画面を回転させるための指示を傾きセンサにより検出する制御部とを備え、前記制御部は前記画面を回転させるための指示を前記傾きセンサにより傾きを検出し、傾きを検出したことにより前記表示部に表示された画面を回転させることを特徴とする。
【００５１】
また、第２０の発明の携帯電話機は、前記制御部は画面を回転させるための指示を傾きセンサにより傾きを検出したことにより前記画面の回転を行い、傾きセンサにより傾きが無くなったことを検出したことにより前記画面の回転の戻しを行うことを特徴とする。
【００５２】
また、第２１の発明の携帯電話機は、画像データからなる画面を表示する表示部と、前記画像データを作成し、前記表示部に表示する前記画像データからなる画面を制御し、前記表示部に表示される画面を回転させるための指示を傾きセンサにより検出する制御部とを備え、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている初期状態の表示状態の画面を表示し、前記傾きセンサが前記前方の傾斜を検出した場合は前記初期状態の表示状態の画面に対し１８０度前記初期状態の表示状態の画面から回転した画面を表示し、前記傾きセンサが前記左の傾斜を検出した場合は前記初期状態の表示状態の画面に対し右に９０度前記初期状態の表示状態の画面から回転した画面を表示し、前記傾きセンサが前記右の傾斜を検出した場合は前記初期状態の表示状態の画面に対し左に９０度前記初期状態の表示状態の画面から回転した画面を表示することを特徴とする。
【００５３】
また、第２２の発明の携帯電話機は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備え、前記制御部は前記前記情報表示データに係わる画面を回転させるための指示を前記傾きセンサにより傾きを検出し、傾きを検出したことにより前記表示部に表示された前記情報表示データに係わる画面を回転させることを特徴とする。
【００５４】
また、第２３の発明の携帯電話機は、前記制御部は前記情報表示データに係わる画面を回転させるための指示を傾きセンサにより傾きを検出したことにより前記画面の回転を行い、傾きセンサにより傾きが無くなったことを検出したことにより前記情報表示データに係わる画面の回転の戻しを行うことを特徴とする。
【００５５】
また、第２４の発明の携帯電話機は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備え、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている前記情報表示データに係わる初期状態の前記情報表示データに係わる表示状態の画面を表示し、前記傾きセンサが前記前方の傾斜を検出した場合は前記情報表示データに係わる初期状態の前記情報表示データに係わる表示状態の画面に対し１８０度前記情報表示データに係わる初期状態の前記情報表示データに係わる表示状態の画面から回転した画面を表示し、前記傾きセンサが前記左の傾斜を検出した場合は前記情報表示データに係わる初期状態の前記情報表示データに係わる表示状態の画面に対し右に９０度前記情報表示データに係わる初期状態の前記情報表示データに係わる表示状態の画面から回転した画面を表示し、前記傾きセンサが前記右の傾斜を検出した場合は前記情報表示データに係わる初期状態の前記情報表示データに係わる表示状態の画面に対し左に９０度前記情報表示データに係わる初期状態の前記情報表示データに係わる表示状態の画面から回転した画面を表示することを特徴とする。
【００５６】
また、第２５の発明の携帯電話機は、前記回転する画面をシステム表示データと情報表示データの画像データを合成した合成表示データの画像データの画面としたことを特徴とする。
【００５７】
また、第２６の発明の携帯電話機における表示方法は、画像データからなる画面を表示する表示部と、前記画像データを作成し、前記表示部に表示する前記画像データからなる画面を制御する制御部と、前記表示部に表示される画面を回転させるための指示キーを備えた操作部とを備えた携帯電話機における表示方法であって、前記制御部は前記画面を回転させるための前記操作部の前記指示キーの押下を検出し、前記指示キー押下により前記表示部に表示された画面を回転させることを特徴とする。
【００５８】
また、第２７の発明の携帯電話機における表示方法は、前記制御部は前記操作部の前記指示キーの押下を検出する毎に、前記画面の回転または回転の戻しを前記指示キーの押下に従い交互に行うことを特徴とする。
【００５９】
また、第２８の発明の携帯電話機における表示方法は、前記制御部は前記操作部の前記指示キーの押下を検出する毎に、前記画面の回転を１８０度回転することを特徴とする。
【００６０】
また、第２９の発明の携帯電話機における表示方法は、画像データからなる画面を表示する表示部と、前記画像データを作成し、前記表示部に表示する前記画像データからなる画面を制御する制御部と、前記表示部に表示される画面を回転させるための指示キーと画面を予め決められた表示状態に戻すための復帰指示キーを備えた操作部とを備えた携帯電話機における表示方法であって、前記制御部は前記画面を回転させるための前記操作部の前記指示キーの押下を検出した場合は、前記指示キー押下により前記表示部に表示された画面を回転させ、前記制御部は前記画面を予め決められた表示状態に戻すための前記復帰指示キーの押下を検出した場合は、前記復帰指示キー押下により前記表示部に表示されている画面を予め決められた表示状態に戻すことを特徴とする。
【００６１】
また、第３０の発明の携帯電話機における表示方法は、前記予め決められた表示状態は、使用者が携帯電話機を手に持ち自分で正しい上下方向および左右方向の画像を表示部の画面で見ている初期状態の表示状態とすることを特徴とする。
【００６２】
また、第３１の発明の携帯電話機における表示方法は、前記予め決められた表示状態は、前記復帰指示キーの押下を検出した時点の表示画面の表示状態とすることを特徴とする。
【００６３】
また、第３２の発明の携帯電話機における表示方法は、前記制御部は前記操作部の前記指示キーの押下を検出する毎に、前記画面の回転を、前記指示キーの押下を検出した時点の表示画面から９０度回転し、前記指示キーの押下を検出したことによる時点の表示画面から９０度回転した画面が、使用者が携帯電話機を手に持ち自分で正しい上下方向および左右方向の画像を表示部の画面で見ている初期状態の表示状態になる場合は前記指示キーの押下を検出した時点の表示画面から１８０度回転することを特徴とする。
【００６４】
また、第３３の発明の携帯電話機における表示方法は、前記制御部は前記操作部の前記指示キーの押下を検出する毎に、前記画面の回転を、前記指示キーの押下を検出した時点の表示画面から９０度回転することを特徴とする。
【００６５】
また、第３４の発明の携帯電話機における表示方法は、前記操作部に備えた画面を回転させるための前記指示キーを、前記画面の９０度、１８０度、２７０度、および３６０度のそれぞれの回転に対応する指示キーを設け、操作部に備えたことを特徴とする。
【００６６】
また、第３５の発明の携帯電話機における表示方法は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーを備えた操作部とを備えた携帯電話機における表示方法であって、前記制御部は前記情報表示データに係わる画面を回転させるための前記操作部の前記指示キーの押下を検出し、前記指示キー押下により前記表示部に表示された前記情報表示データに係わる画面を回転させることを特徴とする。
【００６７】
また、第３６の発明の携帯電話機における表示方法は、前記制御部は前記操作部の前記指示キーの押下を検出する毎に、前記情報表示データに係わる画面の回転または回転の戻しを前記指示キーの押下に従い交互に行うことを特徴とする。
【００６８】
また、第３７の発明の携帯電話機における表示方法は、前記制御部は前記操作部の前記指示キーの押下を検出する毎に、前記情報表示データに係わる画面の回転を１８０度回転することを特徴とする。
【００６９】
また、第３８の発明の携帯電話機における表示方法は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーと前記情報表示データに係わる画面を予め決められた情報表示データに係わる表示状態に戻すための復帰指示キーを備えた操作部とを備えた携帯電話機における表示方法であって、前記制御部は前記情報表示データに係わる画面を回転させるための前記操作部の前記指示キーの押下を検出した場合は、前記指示キー押下により前記表示部に表示された前記情報表示データに係わる画面を回転させ、前記制御部は前記情報表示データに係わる画面を予め決められた前記情報表示データに係わる表示状態に戻すための前記復帰指示キーの押下を検出した場合は、前記復帰指示キー押下により前記表示部に表示されている前記情報表示データに係わる画面を予め決められた前記情報表示データに係わる表示状態に戻すことを特徴とする。
【００７０】
また、第３９の発明の携帯電話機における表示方法は、前記予め決められた情報表示データに係わる表示状態は、使用者が携帯電話機を手に持ち自分で正しい上下方向および左右方向の画像を表示部の画面で見ている前記情報表示データに係わる初期状態の前記情報表示データに係わる表示状態とすることを特徴とする。
【００７１】
また、第４０の発明の携帯電話機における表示方法は、前記予め決められた前記情報表示データに係わる表示状態は、前記復帰指示キーの押下を検出した時点の前記情報表示データに係わる表示画面の前記情報表示データに係わる表示状態とすることを特徴とする。
【００７２】
また、第４１の発明の携帯電話機における表示方法は、前記制御部は前記操作部の前記指示キーの押下を検出する毎に、前記情報表示データに係わる画面の回転を、前記指示キーの押下を検出した時点の前記情報表示データに係わる表示画面から９０度回転し、前記指示キーの押下を検出したことによる時点の前記情報表示データに係わる表示画面から９０度回転した画面が、使用者が携帯電話機を手に持ち自分で正しい上下方向および左右方向の画像を表示部の画面で見ている前記情報表示データに係わる初期状態の前記情報表示データに係わる表示状態になる場合は前記指示キーの押下を検出した時点の前記情報表示データに係わる表示画面から１８０度回転することを特徴とする。
【００７３】
また、第４２の発明の携帯電話機における表示方法は、前記制御部は前記操作部の前記指示キーの押下を検出する毎に、前記情報表示データに係わる画面の回転を、前記指示キーの押下を検出した時点の前記情報表示データに係わる表示画面から９０度回転することを特徴とする。
【００７４】
また、第４３の発明の携帯電話機における表示方法は、前記操作部に備えた前記情報表示データに係わる画面を回転させるための前記指示キーを、前記画面の９０度、１８０度、２７０度、および３６０度のそれぞれの回転に対応する指示キーを設け、操作部に備えたことを特徴とする。
【００７５】
また、第４４の発明の携帯電話機における表示方法は、画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示方法であって、前記制御部は前記画面を回転させるための指示を前記傾きセンサにより傾きを検出し、傾きを検出したことにより前記表示部に表示された画面を回転させることを特徴とする。
【００７６】
また、第４５の発明の携帯電話機における表示方法は、前記制御部は画面を回転させるための指示を傾きセンサにより傾きを検出したことにより前記画面の回転を行い、傾きセンサにより傾きが無くなったことを検出したことにより前記画面の回転の戻しを行うことを特徴とする。
【００７７】
また、第４６の発明の携帯電話機における表示方法は、画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示方法であって、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている初期状態の表示状態の画面を表示し、前記傾きセンサが前記前方の傾斜を検出した場合は前記初期状態の表示状態の画面に対し１８０度前記初期状態の表示状態の画面から回転した画面を表示し、前記傾きセンサが前記左の傾斜を検出した場合は前記初期状態の表示状態の画面に対し右に９０度前記初期状態の表示状態の画面から回転した画面を表示し、前記傾きセンサが前記右の傾斜を検出した場合は前記初期状態の表示状態の画面に対し左に９０度前記初期状態の表示状態の画面から回転した画面を表示することを特徴とする。
【００７８】
また、第４７の発明の携帯電話機における表示方法は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示方法であって、前記制御部は前記前記情報表示データに係わる画面を回転させるための指示を前記傾きセンサにより傾きを検出し、傾きを検出したことにより前記表示部に表示された前記情報表示データに係わる画面を回転させることを特徴とする。
【００７９】
また、第４８の発明の携帯電話機における表示方法は、前記制御部は前記情報表示データに係わる画面を回転させるための指示を傾きセンサにより傾きを検出したことにより前記画面の回転を行い、傾きセンサにより傾きが無くなったことを検出したことにより前記情報表示データに係わる画面の回転の戻しを行うことを特徴とする。
【００８０】
また、第４９の発明の携帯電話機における表示方法は、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示方法であって、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている前記情報表示データに係わる初期状態の前記情報表示データに係わる表示状態の画面を表示し、前記傾きセンサが前記前方の傾斜を検出した場合は前記情報表示データに係わる初期状態の前記情報表示データに係わる表示状態の画面に対し１８０度前記情報表示データに係わる初期状態の前記情報表示データに係わる表示状態の画面から回転した画面を表示し、前記傾きセンサが前記左の傾斜を検出した場合は前記情報表示データに係わる初期状態の前記情報表示データに係わる表示状態の画面に対し右に９０度前記情報表示データに係わる初期状態の前記情報表示データに係わる表示状態の画面から回転した画面を表示し、前記傾きセンサが前記右の傾斜を検出した場合は前記情報表示データに係わる初期状態の前記情報表示データに係わる表示状態の画面に対し左に９０度前記情報表示データに係わる初期状態の前記情報表示データに係わる表示状態の画面から回転した画面を表示することを特徴とする。
【００８１】
また、第５０の発明の携帯電話機における表示方法は、前記回転する画面をシステム表示データと情報表示データの画像データを合成した合成表示データの画像データの画面としたことを特徴とする。
【００８２】
また、第５１の発明のプログラムは、画像データからなる画面を表示する表示部と、前記画像データを作成し、前記表示部に表示する前記画像データからなる画面を制御する制御部と、前記表示部に表示される画面を回転させるための指示キーを備えた操作部とを備えた携帯電話機における表示処理において、前記制御部は前記画面を回転させるための前記操作部の前記指示キーの押下を検出し、前記指示キー押下により前記表示部に表示された画面を回転させる処理をコンピュータに実行させる。
【００８３】
また、第５２の発明のプログラムは、画像データからなる画面を表示する表示部と、前記画像データを作成し、前記表示部に表示する前記画像データからなる画面を制御する制御部と、前記表示部に表示される画面を回転させるための指示キーと画面を予め決められた表示状態に戻すための復帰指示キーを備えた操作部とを備えた携帯電話機における表示処理において、前記制御部は前記画面を回転させるための前記操作部の前記指示キーの押下を検出した場合は、前記指示キー押下により前記表示部に表示された画面を回転させ、前記制御部は前記画面を予め決められた表示状態に戻すための前記復帰指示キーの押下を検出した場合は、前記復帰指示キー押下により前記表示部に表示されている画面を予め決められた表示状態に戻す処理をコンピュータに実行させる。
【００８４】
また、第５３の発明のプログラムは、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーを備えた操作部とを備えた携帯電話機における表示処理において、前記制御部は前記情報表示データに係わる画面を回転させるための前記操作部の前記指示キーの押下を検出し、前記指示キー押下により前記表示部に表示された前記情報表示データに係わる画面を回転させる処理をコンピュータに実行させる。
【００８５】
また、第５４の発明のプログラムは、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御する制御部と、前記表示部に表示される前記情報表示データに係わる画面を回転させるための指示キーと前記情報表示データに係わる画面を予め決められた情報表示データに係わる表示状態に戻すための復帰指示キーを備えた操作部とを備えた携帯電話機における表示処理において、前記制御部は前記情報表示データに係わる画面を回転させるための前記操作部の前記指示キーの押下を検出した場合は、前記指示キー押下により前記表示部に表示された前記情報表示データに係わる画面を回転させ、前記制御部は前記情報表示データに係わる画面を予め決められた前記情報表示データに係わる表示状態に戻すための前記復帰指示キーの押下を検出した場合は、前記復帰指示キー押下により前記表示部に表示されている前記情報表示データに係わる画面を予め決められた前記情報表示データに係わる表示状態に戻す処理をコンピュータに実行させる。
【００８６】
また、第５５の発明のプログラムは、画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示処理において、前記制御部は前記画面を回転させるための指示を前記傾きセンサにより傾きを検出し、傾きを検出したことにより前記表示部に表示された画面を回転させる処理をコンピュータに実行させるためのプログラム。
【００８７】
また、第７０の発明のプログラムは、前記制御部は画面を回転させるための指示を傾きセンサにより傾きを検出したことにより前記画面の回転を行い、傾きセンサにより傾きが無くなったことを検出したことにより前記画面の回転の戻しを行う処理をコンピュータに実行させる。
【００８８】
また、第５６の発明のプログラムは、画像データからなる画面を表示する表示部と、前記画像データを作成し、前記表示部に表示する前記画像データからなる画面を制御し、前記表示部に表示される画面を回転させるための指示を傾きセンサにより検出する制御部とを備えた携帯電話機における表示処理において、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている初期状態の表示状態の画面を表示し、前記傾きセンサが前記前方の傾斜を検出した場合は前記初期状態の表示状態の画面に対し１８０度前記初期状態の表示状態の画面から回転した画面を表示し、前記傾きセンサが前記左の傾斜を検出した場合は前記初期状態の表示状態の画面に対し右に９０度前記初期状態の表示状態の画面から回転した画面を表示し、前記傾きセンサが前記右の傾斜を検出した場合は前記初期状態の表示状態の画面に対し左に９０度前記初期状態の表示状態の画面から回転した画面を表示する処理をコンピュータに実行させる。
【００８９】
また、第５７の発明のプログラムは、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示処理において、前記制御部は前記前記情報表示データに係わる画面を回転させるための指示を前記傾きセンサにより傾きを検出し、傾きを検出したことにより前記表示部に表示された前記情報表示データに係わる画面を回転させる処理をコンピュータに実行させる。
【００９０】
また、第５８の発明のプログラムは、システム表示データと情報表示データの画像データを合成し合成表示データの画像データを画面に表示する表示部と、前記システム表示データと前記情報表示データの画像データを合成し前記合成表示データを作成し、前記表示部に表示する前記合成表示データの画像データからなる画面を制御し、前記表示部に表示される前記情報表示データに係わる画面を回転させるための指示を傾きセンサにより検出する制御部とを備えた携帯電話機における表示処理において、前記傾きセンサは、使用者から見て手前、前方、左、または右に対応する４つの傾斜の傾きを検出する機能を備え、前記制御部は前記傾きセンサが前記手前の傾斜を検出した場合は前記画面を使用者が携帯電話機を手に持ち自分で正しい上下方向および左右方向の画像を表示部の画面で見ている前記情報表示データに係わる初期状態の前記情報表示データに係わる表示状態の画面を表示し、前記傾きセンサが前記前方の傾斜を検出した場合は前記情報表示データに係わる初期状態の前記情報表示データに係わる表示状態の画面に対し１８０度前記情報表示データに係わる初期状態の前記情報表示データに係わる表示状態の画面から回転した画面を表示し、前記傾きセンサが前記左の傾斜を検出した場合は前記情報表示データに係わる初期状態の前記情報表示データに係わる表示状態の画面に対し右に９０度前記情報表示データに係わる初期状態の前記情報表示データに係わる表示状態の画面から回転した画面を表示し、前記傾きセンサが前記右の傾斜を検出した場合は前記情報表示データに係わる初期状態の前記情報表示データに係わる表示状態の画面に対し左に９０度前記情報表示データに係わる初期状態の前記情報表示データに係わる表示状態の画面から回転した画面を表示する処理をコンピュータに実行させる。
【００９１】
また、第７５の発明のプログラムは、前記回転する画面をシステム表示データと情報表示データの画像データを合成した合成表示データの画像データの画面とした処理をコンピュータに実行させる。
【発明の効果】
【００９２】
第１の効果は、使用者が向かい合う方向に居る他者または左右に居る他者に対し、情報表示データの画像を見せる行為を簡略化できることである。
【００９３】
その理由は、向かい合う方向に居る他者または左右に居る他者に対し情報表示データの画像を見せる場合、使用者が手で保持したまま、表示の上下方向および左右方向が正しい情報表示データの画像を見せることが出来るため、携帯電話機を手渡す行為を削減することが出来るためである。
【００９４】
第２の効果は、情報表示データの画像の方向を変えた状態であっても、使用者が操作を行える点である。
【００９５】
その理由は、使用者は向かい合う方向に居る他者または左右に居る他者に対し、表示の上下方向および左右方向が正しい情報表示データの画像を見せたままでも、システム表示データの画像は使用者に対し上下方向および左右方向が正しい状態で操作できるためである。
【００９６】
第３の効果は、個人情報を保護できることである。
【００９７】
その理由は、使用者が手で保持したまま向かい合う方向に居る他者または左右に居る他者に対し画像を見せることが出来るため、他者に携帯電話機を渡すことによる、使用者の個人情報が他者に漏洩する可能性を削減できるからである。
【発明を実施するための最良の形態】
【００９８】
本発明は携帯電話の画像表示機能において、向かい合う方向に居る他者または左右方向に居る他者に対して、画面表示を正しい上下方向および左右方向に回転させるための手段を提供するものである。
【００９９】
携帯電話は、電波状況や電池の残容量を知らせるアイコンやメニュー画面等のシステムに関する情報（以降、システム表示データと呼ぶ）を表示している。このシステム表示データに加え、文字や画像等の情報要素（以降、情報表示データと呼ぶ）を表示している。
【０１００】
本発明は操作部から画面を回転させる操作を検出した時、システム表示データの表示方向を変えることなく情報表示データの表示方向が他者に対して正しい上下方向および左右方向になる様、画面を１８０度回転させる。画面を１８０度回転させることで、使用者が携帯電話機を手に持ったまま他者に正しい上下方向および左右方向で情報表示データを見せることが出来る処理をコンピュータに実行させる。
。
【０１０１】
次に、本発明を実施するための最良の形態について図面を参照して詳細に説明する。
【０１０２】
図１は本発明の実施の形態を示すブロック図である。
【０１０３】
図１を参照すると、図１の分図（ａ）に示す携帯電話機１０１の状態（状態１）において、操作部１０３の画面を１８０度回転させるための指示を送るために設けられた該当キー押下の操作を検出する。１８０度回転させるための指示キー押下により表示部１０２の情報表示データ１０６が１８０度回転する。
【０１０４】
図１の分図（ｂ）に示す携帯電話機１０７の状態（状態２）の様に表示部１０８の情報表示データ１０９のみが１８０度回転している状態となる。その時、表示部１０８のシステム表示データ１０４及びシステム表示データ１０５は回転しない。
【０１０５】
また、携帯電話機１０７の状態（状態２）において、図１の分図（ｃ）に示す携帯電話機１１０の状態（状態３）の様に表示部１１１にメニュー画面１１２を表示させる。この場合、メニュー画面１１２はシステム表示データであるためメニュー画面１１２は回転しない。
【０１０６】
先ず、本発明の携帯電話機の第１の実施の形態の構成を、図４を用いて説明する。
【０１０７】
図４は本発明の携帯電話機の第１の実施の形態を示すブロック図である。
【０１０８】
携帯電話機４００は、図４に示すようにアンテナ４０１と無線部４０２と表示部４０３と操作部４０４と制御部４０５と音声処理部４０６とスピーカ４０７とレシーバ４０８とマイク４０９で構成し、制御部４０５は、ＣＰＵ４１０とメモリ４１１を有する。
【０１０９】
携帯電話機４００は、制御部４０５の制御により無線部４０２、アンテナ４０１を介して図示しない基地局と通信を行う。無線部４０２は、アンテナ４０１にて受信した信号から、受信したい信号周波数を選択し周波数変換を行い増幅し、復調して、受信データを制御部４０５に出力する。制御部４０５は、受信データを処理して音声信号を音声処理部４０６に出力し、音声処理部４０６は、音声信号をアナログ信号に変えてレシーバ４０８より音声を出力する。また、マイク４０９より入力された音声は、音声処理部４０６にて、デジタル信号に変換される。また、制御部４０５は、その変換されたデジタル信号を送信データに処理し、無線部４０２にて、変調し規定の周波数の搬送波として増幅し、アンテナ４０１より送信を行う。
【０１１０】
制御部４０５は操作部４０４を監視し、使用者の操作を検出判断し操作に基づく処理を行う。
【０１１１】
次に表示部４０３にデータを表示させる方法を、図２、図３、および図４を参照して説明する。
【０１１２】
図２は本発明の情報表示データを回転させない場合の画面生成を示す図である。
【０１１３】
また、図３は本発明の情報表示データを回転させる場合の画面生成を示す図である。
【０１１４】
まず、情報表示データを回転させない場合、図２を参照して、制御部４０５はメモリ４１１に格納されているシステム表示データ２０１と情報表示データ２０２の画像データを読み出す。次にシステム表示データ２０１と情報表示データ２０２の画像データを合成し合成表示データ２０３を作成し、表示部４０３にて合成表示データ２０３を表示する。
【０１１５】
また、次に情報表示データを１８０度回転させる場合、図３を参照して、制御部４０５は操作部４０４を監視し、メモリ４１１に格納されているシステム表示データ３０１と情報表示データ３０２の画像データを読み出す。使用者が情報表示データ３０２を向かい合う方向に居る他者または左右に居る他者に対し画像を見せるために、情報表示データ３０２を１８０度回転させるための操作を行う。この操作は、操作部４０４で画面を１８０度回転させるための指示を送るために設けられた該当キーを押下することで実行される。制御部４０５は１８０度回転させるためのキーが押下された操作を検出すと、１８０度回転させるための指示キー押下により表示部４０３に表示されている情報表示データ３０２を１８０度回転する。
【０１１６】
制御部４０５は１８０度回転された情報表示データ３０３を作成し、システム表示データ３０１と回転された情報表示データ３０３を合成し合成表示データ３０４を作成し、表示部４０３にて合成表示データ３０４を表示する。
【０１１７】
次に、本発明を実施するための最良の形態の動作について図面を参照して説明する。
【０１１８】
先ず、本発明の第１の実施の形態の動作について、図５を参照して詳細に説明する。
【０１１９】
図５は本発明の第１の実施の形態の動作を示す流れ図である。
【０１２０】
操作部４０４から画像データの表示開始イベントが発生した際（ステップＳ５０１の有り）、制御部４０５はメモリ４１１からシステム表示データ２０１の画像データと情報表示データ２０２の画像データを読み出し、二つの画像データを合成し、表示部４０３に合成表示データ２０３を表示する（ステップＳ５０２）。
【０１２１】
制御部４０５にて表示画像の表示終了イベントを監視し、表示画像の表示終了イベントが発生した場合（ステップＳ５０３の有り）、画像データの表示を終了する。表示画像の表示終了イベントが発生しなかった場合（ステップＳ５０３の無し）は、表示画像の回転イベントの検出を行う（ステップＳ５０４）。ステップＳ５０４にて制御部４０５が操作部４０４から表示画像の回転イベントを検出しなかった場合（操作部４０４で画面を回転させるための指示を送るために設けられた該当キーが押下されない場合）（ステップＳ５０４の無し）、ステップＳ５０３からの処理を繰り返す。
【０１２２】
ステップＳ５０４にて制御部４０５が操作部４０４から表示画像の回転イベントを検出した場合（操作部４０４で画面を回転させるための指示を送るために設けられた該当キーが押下された場合）（ステップＳ５０４の有り）、制御部４０５はメモリ４１１からシステム表示データ３０１の画像データと情報表示データ３０２の画像データを読み出し、情報表示データ３０２を１８０度回転し１８０度回転された情報表示データ３０３を作成し、回転しないシステム表示データ３０１と１８０度回転された情報表示データ３０３を合成し、合成表示データ３０４を作成し、表示部４０４にて合成表示データ３０４を表示する（ステップＳ５０５）。
【０１２３】
制御部４０５にて表示画像の回転表示終了イベントを監視し（ステップＳ５０６）、表示画像の回転表示終了イベントを検出した場合（操作部４０４で画面を回転させるための指示を送るために設けられた該当キーが再度押下された場合）（ステップＳ５０６の有り）、制御部４０５は１８０度回転された情報表示データ３０３を元に戻し、システム表示データ３０１と合成し、合成表示データ３０４を表示部４０３に表示し（ステップＳ５０７）、ステップＳ５０３からの処理を繰り返す。
【０１２４】
ここで、表示画像の回転表示イベントの開始（指示）と終了は画面を回転させるための指示を送るために設けられた該当キーが押下される毎に開始（指示）と終了を交互に繰り返す構成になっている。
【０１２５】
ステップＳ５０６にて制御部４０５にて表示画像の回転表示終了イベントを検出しなかった場合（操作部４０４で画面を回転させるための指示を送るために設けられた該当キーが再度押下されなかった場合）（ステップＳ５０６の無し）、ステップＳ５０６の処理を繰り返す。
【０１２６】
以上使用者が情報表示データ３０２を向かい合う方向に居る他者または左右に居る他者に対し画像を見せるために、情報表示データ３０２を１８０度回転させるための操作を行う。この操作は、操作部４０４で画面を１８０度回転させるための指示を送るために設けられた該当キーを押下することで実行される。また、表示画像の回転表示イベントの開始（指示）と終了は画面を回転させるための指示を送るために設けられた該当キーが押下される毎に開始（指示）と終了を交互に繰り返す構成で説明した。
【０１２７】
しかし、この画面の回転の構成を以下のような様々な形態とすることができる。１つは、操作部４０４で画面を９０度ずつ回転させるための指示を送るための該当キーを設ける。この該当キーを押下する毎に情報表示データ３０２が９０度ずつ回転し、システム表示データ３０１と合成され、合成表示データ３０４が表示部４０３に表示される。
【０１２８】
即ち、初めは使用者が携帯電話機１０１を手に持ち自分で表示部１０２の画面を見ている状態から、回転させるための指示を送るための該当キーの１回目を押下すると情報表示データ１０６が右に（左に）９０度回転する。９０度右に（左に）回転することにより、使用者の左に（右に）居る他者の目の前に使用者から見て前方に倒して携帯電話機１０１を差し出せば、左に（右に）居る他者は情報表示データ１０６の正しい上下方向および左右方向の画像（初めの状態から合わせて９０度回転した画像）を見ることができる。
【０１２９】
次にさらに回転させるための指示を送るための該当キーをさらに１回押下し２回目の押下で情報表示データ１０６が右に（左に）さらに９０度（初めの状態から合わせて１８０度）回転する。さらに９０度右に（左に）回転することにより、使用者の直前に居る他者の目の前に使用者から見て前方に倒して携帯電話機１０１を差し出せば、使用者の直前に居る他者は情報表示データ１０６の正しい上下方向および左右方向の画像（初めの状態から合わせて１８０度回転した画像）を見ることができる。
【０１３０】
次にさらに回転させるための指示を送るための該当キーをさらに１回押下し３回目の押下で情報表示データ１０６が右に（左に）さらに９０度（初めの状態から合わせて２７０度）回転する。さらに９０度右に（左に）回転することにより、使用者の右に（左に）居る他者の目の前に使用者から見て前方に倒して携帯電話機１０１を差し出せば、右に（左に）居る他者は情報表示データ１０６の正しい上下方向および左右方向の画像（初めの状態から合わせて２７０度回転した画像）を見ることができる。
【０１３１】
次にさらに回転させるための指示を送るための該当キーをさらに１回押下し４回目の押下で情報表示データ１０６が右に（左に）さらに９０度（初めの状態から合わせて３６０度）回転する。さらに９０度右に（左に）回転することにより、情報表示データ１０６を元に戻し、初めの使用者が携帯電話機１０１を手に持ち自分で表示部１０２の画面を見ている初期状態に戻すことができる。
【０１３２】
以上のように、１つの該当キーで１回押下する毎に画面を９０度ずつ回転させ、他者に情報表示データ１０６の正しい上下方向および左右方向の画像を見せることができることと、利用者自身が見ている初期状態に復帰させることができる。回転動作は該当キーを１回押下する毎にサイクリックに行われる。ここで利用者自身が見ている初期状態に復帰させる行為を前述したような１つの該当キーでサイクリックに回転する１環の流れとして行うのでなく、初期状態に復帰させる専用の特定キーを設けてもよい。こうすることでどのような回転状態にあろうとも一気に初期状態に復帰できる。さらに、１つの該当キーでサイクリックに回転することでなく、それぞれ９０度、１８０度、２７０度の回転を指示する専用のキーを設けてそれぞれの回転を指示することもできる。
【０１３３】
次に、本発明の第２の実施の形態について、図面を参照して詳細に説明する。
【０１３４】
先ず、本発明の携帯電話機の第２の実施の形態の構成を、図６を用いて説明する。
【０１３５】
図６は本発明の携帯電話機の第２の実施の形態を示すブロック図である。
【０１３６】
携帯電話機６００は、図６に示すようにアンテナ６０１と無線部６０２と表示部６０３と操作部６０４と制御部６０５と音声処理部６０６とスピーカ６０７とレシーバ６０８とマイク６０９で構成し、制御部６０５は、ＣＰＵ６１０とメモリ６１１と傾きセンサ６１２を有する。
【０１３７】
第１の実施の形態においては、情報表示データ３０２を１８０度回転させるための指示を、操作部４０４で画面を１８０度回転させるための指示を送るために設けられた該当キーが押下されたことで行っている。これに対し本第２の実施の形態においては、表示画像の上下方向および左右方向の向きを変える（１８０度回転する）ための別の手段として、携帯電話機６００が傾きセンサ６１２を有している場合の表示回転手段を提供する。
【０１３８】
第２の実施の形態の構成と第１の実施の形態の構成の相違点を図６の傾きセンサ６１２を使った場合について説明する。
【０１３９】
本発明の第２の実施の形態の傾きセンサ６１２付き携帯電話機６００は、図４に示す第１の実施の形態の携帯電話機４００に対し傾きセンサ６１２を追加したものである。傾きセンサ６１２は地面との水平方向に対する傾きを制御部６０５に出力する。制御部６０５は傾きセンサ６１２から傾きを検出し、メモリ６１１に格納された閾値と比較し、比較結果に基づく処理を行う。
【０１４０】
次に表示部６０３にデータを表示させる方法を、図２、図３、および図６を参照して説明する。
【０１４１】
まず、情報表示データを回転させない場合、図２を参照して、制御部６０５はメモリ６１１に格納されているシステム表示データ２０１と情報表示データ２０２の画像データを読み出す。次にシステム表示データ２０１と情報表示データ２０２の画像データを合成し合成表示データ２０３を作成し、表示部６０３にて合成表示データ２０３を表示する。
【０１４２】
また、次に情報表示データを１８０度回転させる場合、図３を参照して、制御部６０５は傾きセンサ６１２を監視し、使用者が情報表示データ３０２を向かい合う方向に居る他者または左右に居る他者に対し画像を見せるために、情報表示データ３０２を１８０度回転させるための操作を行う。この操作は、使用者が自分の手で持った携帯電話機６００の表示部６０３を見ている状態から、向かい合う方向に居る他者または左右に居る他者に対し画像を見せるために、携帯電話機６００の表示部６０３を他者の目の前に差し出す。
【０１４３】
このように携帯電話機６００の表示部６０３が他者の目の前に差し出されたことにより携帯電話機６００自体が使用者が持っているほぼ垂直状態から水平状態に傾斜する。
【０１４４】
携帯電話機６００自体が傾斜したことにより、携帯電話機６００の制御部６０５に内蔵している傾きセンサ６１２が傾きを検出する。
【０１４５】
制御部６０５は傾きセンサ６１２を監視し、予め決められてある閾値以上の傾きを検出した場合、メモリ６１１に格納されているシステム表示データ３０１と情報表示データ３０２の画像データを読み出す。情報表示データ３０２の画像データを１８０度回転し、１８０度回転された情報表示データ３０３を作成し、システム表示データ３０１と１８０度回転された情報表示データ３０３を合成し合成表示データ３０４を作成し、表示部６０３にて合成表示データ３０４を表示する。
【０１４６】
本第２の実施の形態によれば、使用者が特定の操作をすることなく、画像の表示方向を変えられるため、使用者が画像の表示方向を変える操作を削減できる。
【０１４７】
次に、本発明を実施するための最良の形態の動作について図面を参照して説明する。
【０１４８】
本発明の第２の実施の形態の動作について、図７を参照して詳細に説明する。
【０１４９】
図７は本発明の第２の実施の形態の動作を示す流れ図である。
【０１５０】
操作部６０４から画像データの表示開始イベントが発生した際（ステップＳ７０１の有り）、制御部６０５はメモリ６１１からシステム表示データ２０１の画像データと情報表示データ２０２の画像データを読み出し、二つの画像データを合成し、表示部６０３に合成表示データ２０３を表示する（ステップＳ７０２）。
【０１５１】
制御部６０５にて表示画像の表示終了イベントを監視し、表示画像の表示終了イベントが発生した場合（ステップＳ７０３の有り）、画像データの表示を終了する。表示画像の表示終了イベントが発生しなかった場合（ステップＳ７０３の無し）は、傾きセンサ６１２で携帯電話機６００の傾きの検出を行う（ステップＳ７０４）。ステップＳ７０４にて傾きセンサ６１２が傾きを検出しなかった場合（ステップＳ７０４の無し）、ステップＳ７０３からの処理を繰り返す。
【０１５２】
ステップＳ７０４にて傾きセンサ６１２で携帯電話機６００の傾きを検出した場合（ステップＳ７０４の有り）、制御部６０５はメモリ６１１からシステム表示データ３０１の画像データと情報表示データ３０２の画像データを読み出し、情報表示データ３０２を１８０度回転し１８０度回転された情報表示データ３０３を作成し、回転しないシステム表示データ３０１と１８０度回転された情報表示データ３０３を合成し、合成表示データ３０４を作成し、表示部６０３にて合成表示データ３０４を表示する（ステップＳ７０５）。
【０１５３】
制御部６０５にて傾きセンサ６１２からの携帯電話機６００の傾きの検出を監視し（ステップＳ７０６）、傾きセンサ６１２からの携帯電話機６００の傾きの検出が消えた場合（ステップＳ７０６の無し）、制御部６０５は１８０度回転された情報表示データ３０３を元に戻し、システム表示データ３０１と合成し、合成表示データ３０４を表示部６０３に表示し（ステップＳ７０７）、ステップＳ７０３からの処理を繰り返す。
【０１５４】
制御部６０５にて傾きセンサ６１２からの携帯電話機６００の傾きの検出が消えない場合（ステップＳ７０６の有り）、ステップＳ７０６の処理を繰り返す。
【０１５５】
以上のように、傾きセンサ６１２により携帯電話機６００の傾きの検出を自動的に行うことにより、使用者が特定の操作をすることなく、画像の表示方向を変えられるため、使用者が画像の表示方向を変える操作を削減できる。
【０１５６】
以上本発明の第２の実施の形態においても使用者が情報表示データ３０２を向かい合う方向に居る他者または左右に居る他者に対し画像を見せるために、情報表示データ３０２を１８０度回転させるための操作を行う。制御部６０５は傾きセンサ６１２を監視し、使用者が情報表示データ３０２を向かい合う方向に居る他者または左右に居る他者に対し画像を見せるために、情報表示データ３０２を１８０度回転させるための操作を行う。この操作は、使用者が自分の手で持った携帯電話機６００の表示部６０３を見ている状態から、向かい合う方向に居る他者または左右に居る他者に対し画像を見せるために、携帯電話機６００の表示部６０３を他者の目の前に差し出す。
【０１５７】
このように携帯電話機６００の表示部６０３が他者の目の前に差し出されたことにより携帯電話機６００自体が使用者が持っているほぼ垂直状態から水平状態に傾斜する。
【０１５８】
携帯電話機６００自体が傾斜したことにより、携帯電話機６００の制御部６０５に内蔵している傾きセンサ６１２が傾きを検出する。
【０１５９】
制御部６０５は傾きセンサ６１２を監視し、予め決められてある閾値以上の傾きを検出した場合、メモリ６１１に格納されているシステム表示データ３０１と情報表示データ３０２の画像データを読み出す。情報表示データ３０２の画像データを１８０度回転し、１８０度回転された情報表示データ３０３を作成し、システム表示データ３０１と１８０度回転された情報表示データ３０３を合成し合成表示データ３０４を作成し、表示部６０３にて合成表示データ３０４を表示する。
【０１６０】
しかし、この画面の回転の構成を本発明の第２の実施の形態においても以下のような様々な形態とすることができる。それは傾きセンサ６１２の機能に以下のような４つの機能を持たせることである。１つ目は使用者が持っている携帯電話機６００をほぼ垂直状態にした傾きの検出を行うことで初めの使用者が携帯電話機６００を手に持ち自分で表示部６０３の画面を見ている初期状態にする、または他の回転表示状態から初期状態に戻すことができる。
【０１６１】
２つ目は使用者の直前に居る他者に表示部６０３を提示するために携帯電話機６００を水平状態にした傾きの検出を行い、使用者の直前に居る他者の目の前に使用者から見て前方に倒して携帯電話機６００を差し出せば、使用者の直前に居る他者は情報表示データ３０３の正しい上下方向および左右方向の画像（初期状態から１８０度回転した画像）を見ることができる。
【０１６２】
３つ目は使用者の左に居る他者に表示部６０３を提示するために携帯電話機６００を使用者から見て前方に倒して携帯電話機６００を左に傾けた傾きの検出を行い、使用者の左に居る他者の目の前に使用者から見て前方に倒して携帯電話機６００を差し出せば、左に居る他者は情報表示データ３０３の正しい上下方向および左右方向の画像（初期状態から右に９０度回転した画像）を見ることができる。
【０１６３】
そして、４つ目は使用者の右に居る他者に表示部６０３を提示するために携帯電話機６００を使用者から見て前方に倒して携帯電話機６００を右に傾けた傾きの検出を行い、使用者の右に居る他者の目の前に使用者から見て前方に倒して携帯電話機６００を差し出せば、右に居る他者は情報表示データ３０３の正しい上下方向および左右方向の画像（初期状態から左９０度回転した画像）を見ることができる。
【０１６４】
以上これまで、本発明の第１および第２の実施の形態において、表示される合成表示データ２０３，３０４は、情報表示データ１０６，１０９，２０２，３０２，３０３だけが回転して表示され、システム表示データ１０４，１０５，２０１，３０１は回転しないままで表示されることで説明したが、システム表示データ１０４，１０５，２０１，３０１も回転して、情報表示データ１０６，１０９，２０２，３０２，３０３と合わせて、合成表示データ２０３，３０４として回転して表示される構成にしてもよい。
【図面の簡単な説明】
【０１６５】
【図１】本発明の実施の形態を示すブロック図である。
【図２】本発明の情報表示データを回転させない場合の画面生成を示す図である。
【図３】本発明の情報表示データを回転させる場合の画面生成を示す図である。
【図４】本発明の携帯電話機の第１の実施の形態を示すブロック図である。
【図５】本発明の第１の実施の形態の動作を示す流れ図である。
【図６】本発明の携帯電話機の第２の実施の形態を示すブロック図である。
【図７】本発明の第２の実施の形態の動作を示す流れ図である。
【符号の説明】
【０１６６】
１０１，１０７，１１０，４００，６００    携帯電話機
１０２，１０８，１１１，４０３，６０３    表示部
１０３，４０４，６０４    操作部
１０４，１０５，２０１，３０１    システム表示データ
１０６，１０９，２０２，３０２，３０３    情報表示データ
１１２    メニュー画面
２０３，３０４    合成表示データ
４０１，６０１    アンテナ
４０２，６０２    無線部
４０５，６０５    制御部
４０６，６０６    音声処理部
４０７，６０７    スピーカ
４０８，６０８    レシーバ
４０９，６０９    マイク
４１０，６１０    ＣＰＵ
４１１，６１１    メモリ
６１２    傾きセンサ
【図１】
2006041696.tif 000003
【図２】
2006041696.tif 000004
【図３】
2006041696.tif 000005
【図４】
2006041696.tif 000006
【図５】
2006041696.tif 000007
【図６】
2006041696.tif 000008
【図７】
2006041696.tif 000009